(57)【要約】【課題】  環境の改善と合理化を配慮した手袋のリユースシステムおよびそれに使用するのに好適な手袋を提供することを目的とする。【解決手段】  手袋に付された識別手段（ＩＣタグ）１と、手袋Ｇの出荷双数を検知する第１の検知手段１０と、返還された手袋の双数を検知する第２の検知手段１４と、再出荷された手袋の双数を検知する第３の検知手段２２と、各検知手段で得られた手袋の双数に基づいてリユースされる手袋の管理をおこなうコンピュータ１２とを有し、該コンピュータが、第３の検知手段で検知した再出荷された手袋の双数をリユースされる手袋の双数とし、第２の検知手段１４で検知した返還された手袋の双数から、前記第３の検知手段２２で検知した再出荷された手袋の双数を減算し、その減算して得た値を、廃棄した手袋の双数とするよう構成した。【選択図】図２
2008015825.tif 000002
【特許請求の範囲】
【請求項１】
手袋に付された識別手段と、この識別手段に基づいて手袋の出荷双数を検知する第１の検知手段と、この識別手段に基づいてユーザーで使用した後に返還された手袋の双数を検知する第２の検知手段と、前記返還された手袋のうち所定の処理が施されて再出荷された手袋の双数を検知する第３の検知手段と、
前記第１〜第３の検知手段と通信手段で接続され、該第１〜第３の検知手段で検知して得られた手袋の双数に基づいてリユースされる手袋の管理をおこなうコンピュータとを有し、
前記コンピュータが、前記第３の検知手段で検知した再出荷された手袋の双数をリユースされる手袋の双数とし、
前記第２の検知手段で検知した返還された手袋の双数から、前記第３の検知手段で検知した再出荷された手袋の双数を減算し、その減算して得た値を、廃棄した手袋の双数とし、該廃棄した手袋の双数に相当する双数を補充すべく新しい手袋の双数とするように構成したことを特徴とする手袋のリユースシステム。
【請求項２】
前記第３の検知手段で検知した再出荷された手袋の双数に、手袋一双当たりのリユース費用を乗算して得たリユース費小計を、ユーザーへのリユースにかかる請求額として、且つ、前記補充した手袋の双数に手袋一双当たりの単価を乗算して得た補充費小計を、ユーザーへの補充にかかる請求額として、請求書をユーザーに出すとともに、
前記廃棄した手袋の双数をユーザーに報告するよう構成したことを特徴とする請求項１記載の手袋のリユースシステム。
【請求項３】
前記リユースシステムの対象となる手袋がリースにかかる手袋である場合には、前記廃棄した手袋の双数に、手袋の在存原価を乗算して得た額を、消耗費小計として、前記リユース費小計及び補充費小計に加算して、ユーザーへの請求額とするよう構成したことを特徴とする請求項１又は２記載の手袋のリユースシステム。
【請求項４】
前記識別手段の一つとして、左右一対になった手袋のいずれかに、ユーザーに関する情報を記憶させた識別用ＩＣタグを付すとともに、
前記手袋を前記左右一対のものが一体になるよう連結手段で連結し、
返還された手袋に前記所定の処理を施して後、該ＩＣタグに記憶されている情報に基づいて元のユーザーに手袋が左右一対になって返還されるよう構成したことを特徴とする請求項１〜３のいずれか１の項に記載の手袋のリユースシステム。
【請求項５】
前記ユーザーが、会社単位若しくは会社の事業所単位又は個人単位で特定されていることを特徴とする請求項１〜４のいずれか１の項に記載の手袋のリユースシステム。
【請求項６】
前記ＩＣタグが、リユースされる毎に、リユース回数が書き換えられ、また、処理の内容に関する情報が書き加えられるよう構成されていることを特徴とする請求項４記載の手袋のリユースシステム。
【請求項７】
前記ＩＣタグが、前記所定の処理を施した箇所に配置されているタグ読み取り装置を通過するたびに、そのタグ読み取り装置に当該ＩＣタグが通過したことを記録させ、各タグ読み取り装置からのＩＣタグに関する通過情報に基づいてユーザーへの請求額を決定するよう構成されていることを特徴とする請求項４記載の手袋のリユースシステム。
【請求項８】
前記所定の処理が、手袋の洗濯処理であることを特徴とする請求項４記載の手袋のリユースシステム。
【請求項９】
手袋のユーザーを識別する識別手段としてのＩＣタグを収納する収納袋と、この収納袋内に収納されたＩＣタグとを有することを特徴とする手袋。
【請求項１０】
前記ＩＣタグには、手袋のユーザーを特定するコードを格納するユーザー特定番地と、手袋のリユース回数に関するコードを格納するリユース回数カウント番地と、修理内容に関するコードを格納する修理内容番地とを有することを特徴とする請求項９記載の手袋。
【請求項１１】
前記収納袋が、手袋のリスト部分に設けられていることを特徴とする請求項９又は１０記載の手袋。
【請求項１２】
前記手袋の左右に、多数の異なる符号のうちから選択された１の共通の符号が付されていることを特徴とする請求項９〜１０のうちのいずれか１の項に記載の手袋。
【発明の詳細な説明】
【技術分野】
【０００１】
本発明は、ユーザーで使用した後の手袋を、洗濯と必要に応じて修理を施して、再び元のユーザーに戻して該手袋を繰り返し使用する、手袋のリユースシステムに関する。
【背景技術】
【０００２】
手袋は、あらゆる作業に広範囲に使用されている。具体的には、重作業である土木作業や機械加工等から、電子部品の組立や箱詰めのような軽作業に至るあらゆる分野の作業に広く使用され、作業者の手を保護するとともに作業効率の向上に寄与している。
そして、前記各種作業に使用されている手袋は、例外なく、所定時間使用して汚れたり損傷したりすると、そのまま廃棄ゴミとして棄てられているのが現状である。特に、全く損傷していない場合においても、油等が手袋に付着し汚れていると、その手袋は廃棄処分されているのが現状である。
【０００３】
ところで、近年地球規模で、地球環境の改善のために種々の対応が考えられ、実施可能なものから順次実行されている。
【０００４】
このような状況の下、手袋についても、地球環境を考えると、汚れたり損傷した手袋は、洗濯したり修理して繰り返し使用することが望ましい。
【０００５】
病院や養護施設等の寝巻などの場合には、使用されると、洗濯や必要に応じて修理して、繰り返しリユースされるものがある。そして、これらは肌に触れるものであること等の理由から、ユーザー（個人）を特定してリユースしようとするものもある。また、前記寝巻等にＩＣタグ等を固着させておき、該ＩＣタグ等の情報として、ユーザー名や、使用の回数等を記憶させたりするものがある（特許文献１参照）。
【０００６】
しかしながら、手袋の場合には、左右一対で１双の手袋となり、しかも手袋自体の価格が寝巻等に比べて格段に安価な商品であることから、手袋の左右にそれぞれ高価なＩＣタグを固着して使用することが現実に難しいものがある。
つまり、手袋の場合には、それ自体が価格的に安価であることから、出荷された手袋の双数、返還された手袋の双数や再出荷された手袋の双数をいちいち作業者がチェックし、再出荷時にその処理内容別にリユース費用を乗算して請求しようとすると、新たな手袋を購入した方が安価になるという、手袋特有の問題がある。
【特許文献１】特開２００５−２７５８５３号公報。
【発明の開示】
【発明が解決しようとする課題】
【０００７】
本発明は、このような状況のもとなされたものであって、前記課題を解決した、手袋のリユースシステムおよびそれに使用するのに好適な手袋を提供することを目的とする。
【課題を解決するための手段】
【０００８】
本第１の発明にかかる手袋のリユースシステムは、手袋に付された識別手段と、この識別手段に基づいて手袋の出荷双数を検知する第１の検知手段と、この識別手段に基づいてユーザーで使用した後に返還された手袋の双数を検知する第２の検知手段と、前記返還された手袋のうち所定の処理が施されて再出荷された手袋の双数を検知する第３の検知手段と、
前記第１〜第３の検知手段と通信手段で接続され、該第１〜第３の検知手段で検知して得られた手袋の双数に基づいてリユースされる手袋の管理をおこなうコンピュータとを有し、
前記コンピュータが、前記第３の検知手段で検知した再出荷された手袋の双数をリユースされる手袋の双数とし、
前記第２の検知手段で検知した返還された手袋の双数から、前記第３の検知手段で検知した再出荷された手袋の双数を減算し、その減算して得た値を、廃棄した手袋の双数とし、該廃棄した手袋の双数に相当する双数を補充すべく新しい手袋の双数とするように構成したことを特徴とする。
【０００９】
前述のように構成された本第１の発明にかかる手袋のリユースシステムによれば、手袋に付された識別手段によって、各手袋を識別できるとともに、この識別手段による識別機能を利用して、前記第１の検知手段により、出荷時にはリユースシステムに投入（参加）される手袋の出荷双数が容易にカウントすることができ、またユーザーで使用後に返還された手袋の返還双数が前記第２の検知手段により容易にカウントすることができ、さらに所定の処理を施して後にユーザーへ再出荷する際には手袋の再出荷双数が前記第３の検知手段により容易にカウントすることができる。このため、前記識別手段を利用して各検知手段により検知され前記コンピュータで把握された手袋の双数に基づいて、ユーザー側に必要な請求と報告及び廃棄した手袋の補充を容易におこなうことができる。従って、価格自体が安価な手袋であっても、リユースシステムを確立することが可能となるとともに、前記識別手段を利用して、特定の手袋を特定のユーザーに繰り返しリユースすることが可能となる。なお、前記第１の検知手段、第２の検知手段、第３の検知手段は、物理的には一つの検知手段を、出荷の場合の手袋の検知には第１の検知手段として、返還された手袋の検知の場合には第２の検知手段として、再出荷の場合の手袋の検知の場合には第３の検知手段として、それぞれに使い分けることによって、実現してもよい。かかる場合には、取り扱い量の規模の小さい場合には好ましい。
【００１０】
本第２の発明にかかる手袋は、手袋のユーザーを識別する識別手段としてのＩＣタグを収納する収納袋と、この収納袋内に収納されたＩＣタグとを有することを特徴とする。
【００１１】
前述のように構成された本第２の発明にかかる手袋によれば、識別手段であるＩＣタグを手袋に一体に収容でき、このように収容されたＩＣタグによって手袋のユーザーを特定することができる。このため、前記手袋のリユースシステムに使用する手袋として好ましい手袋となる。
【００１２】
また、前記手袋のリユースシステムにおいて、前記第３の検知手段で検知した再出荷された手袋の双数に、手袋一双当たりのリユース費用を乗算して得たリユース費小計を、ユーザーへのリユースにかかる請求額として、且つ、前記補充した手袋の双数に手袋一双当たりの単価（手袋の所有権がユーザー側にある場合には販売価格、あるいは手袋の所有権が手袋の供給側にある場合にはリース価格をいう）を乗算して得た補充費小計を、ユーザーへの補充にかかる請求額として、請求書をユーザーに出すとともに、
前記廃棄した手袋の双数（必要な場合には、前記リユースした手袋の双数及び補充した手袋の双数）をユーザーに報告するよう構成すると、作業工数をかけることなく、簡単にリユース費用及び新しい手袋の補充に伴う補充費小計を算出して請求書を発行することができ、また、廃棄した手袋等の双数をユーザーへ報告することができる。
【００１３】
前記手袋のリユースシステムにおいて、前記リユースシステムの対象となる手袋がリースにかかる手袋である場合には、前記廃棄した手袋の双数に、手袋の在存原価（在存簿価）を乗算して得た額を、消耗費小計として、前記リユース費小計及び補充費小計に加算して、ユーザーへの請求額とするよう構成すると、前記対象となる手袋がリースにかかる手袋である場合においても、作業工数をかけることなく、廃棄した手袋の在存原価に基づく消耗費小計と補充にかかる新しい手袋の補充費小計及びリユース費小計を算出して請求額を得て、ユーザーへ請求することができる。
【００１４】
前記手袋のリユースシステムにおいて、前記識別手段の一つとして、左右一対になった手袋のいずれかに、ユーザーに関する情報を記憶させた識別用ＩＣタグを付すとともに、
前記手袋を前記左右一対のものが一体になるよう連結手段で連結し、
返還された手袋に前記所定の処理を施して後、該ＩＣタグに記憶されている情報に基づいて元のユーザーに手袋が左右一対になって返還されるよう構成すると、手袋に接触することなく前記検知手段であるＩＣタグの検知手段によって検知することができることから、処理し易い且つ正確に処理可能なリユースシステムとなる。また、ＩＣタグは、一双の手袋に対して一つあればよいため、価格的な点から実現し易いリユースシステムとなる。
【００１５】
前記手袋のリユースシステムにおいて、前記ユーザーが、会社単位若しくは会社の事業所単位で特定されていると、前記識別手段による識別対象が少なくできるため、ＩＣタグ以外の識別手段、例えば、手袋の特定の部位を特定の色にする等によって識別手段を実現することが可能となる。また、前記ユーザーが、個人単位であると、各個人毎に特定された手袋が繰り返し使用されることから、ユーザーにとって好ましい。
【００１６】
前記手袋のリユースシステムにおいて、前記ＩＣタグが、リユースされる毎に、リユース回数が書き換えられ、また、処理の内容に関する情報が書き加えられると、そのＩＣタグに記録されている情報によって、経理処理等がおこなえ又廃棄時期等を決定することができる。
【００１７】
前記手袋のリユースシステムにおいて、前記ＩＣタグが、前記所定の処理を施した箇所に配置されているタグ読み取り装置を通過するたびに、そのタグ読み取り装置に当該ＩＣタグが通過したことを記録させ、各タグ読み取り装置からのＩＣタグに関する通過情報に基づいてユーザーへの請求額を決定するよう構成されていると、作業者の介在を必要最小限にすることができるため、合理的な手袋のリユースシステムを実現することができる。
【００１８】
前記手袋のリユースシステムにおいて、前記所定の処理が、手袋の洗濯処理であってよい。
【００１９】
前記手袋のリユースシステムにおいて、前記所定の処理が、手袋の洗濯処理であってよい。
【００２０】
前記手袋において、前記ＩＣタグには、手袋のユーザーを特定するコードを格納するユーザー特定番地と、手袋のリユース回数に関するコードを格納するリユース回数カウント番地と、修理内容に関するコードを格納する修理内容番地とを有すると、リユースシステムに使用される手袋として好ましい。
【００２１】
前記手袋において、前記収納袋が、手袋のリスト部分に設けられていると、ＩＣタグに外力が作用し難い、損傷し難い構成の手袋となる。
【００２２】
前記手袋において、前記手袋の左右に、多数の異なる符号のうちから選択された１の共通の符号が付されていると、双をなす手袋が特定されるため、双をなすの左右の手袋のうちの一方の手袋にのみＩＣタグを取着しておくことによって、手袋のユーザー等を特定することができる。
【発明の効果】
【００２３】
前述のように構成された本第１の発明にかかる手袋のリユースシステムによれば、価格的に安価な手袋であっても、出荷、返還、再出荷等に伴う作業工数が削減できるため、また、１双の手袋に１の識別手段を付すようにすれば識別手段の個数が半減できるため、価格的に安価な手袋においてもリユースシステムを確立することが可能となる。また、前記識別手段を利用して、特定の手袋のユーザーに繰り返しリユースすることが可能となる。
【００２４】
また、前記本第２の発明にかかる手袋によれば、ＩＣタグを手袋に容易に一体に収容でき、このように収容されたＩＣタグによって手袋のユーザーを特定することができ、前記手袋のリユースシステムを実現可能とする。
【発明を実施するための最良の形態】
【００２５】
以下、図面を参照しながら、本発明の実施形態にかかる手袋のリユースシステムとそれに使用する手袋について具体的に説明する。
【００２６】
図１は本発明の１つの実施形態にかかる手袋のリユースシステムの概略の全体の構成を示すブロック図、図２はリユースの対象となる手袋の概略の構成を示す手袋の概念図である。
【００２７】
この実施形態にかかる手袋のリユースシステムでは、図２に図示するように、リユースの対象物たる手袋Ｇの左右一対となった左手袋Ｇ１と右手袋Ｇ２（図５参照）のうちの一方の手袋、例えば左手袋Ｇ１に識別手段としてＩＣタグ１が付設されている。このＩＣタグ１は、図２に図示するように、手袋Ｇ（この実施形態の場合左手袋Ｇ１）のリスト部分に形成された収納袋２に収納されることによって手袋Ｇ１に付設されている。しかし、ＩＣタグ１の手袋Ｇ１への付設は、収納袋２に収納する以外に、例えば、手袋Ｇ１自体の積層した素材の間に縫い込むような構成であってもよく、あるいは強力な接着剤等で積層した素材の間に接着するような手法によっておこなうこともできる。
【００２８】
そして、図３に図示するように、このＩＣタグ１内には、手袋のユーザー（個人ユーザーおよび該個人が属する組織（管理責任を負う組織））を特定するコードを格納するユーザー特定番地１Ａと、手袋のリユース回数に関するコードを格納するリユース回数カウント番地１Ｂと、修理内容に関するコードを格納する修理内容番地１Ｃとを有する。さらに、手袋Ｇの品番に関するコードを格納する品番用番地１Ｄと、このリユースシステムにおける処理を施す側の担当者名に関するコードを格納する担当者名用番地１Ｅ等を有する。
また、このＩＣタグ１は、所謂「無線型（非接触型）」のＩＣタグで、このＩＣタグ１内にはアンテナ１Ｇを備え、このアンテナ１Ｇを介して外部（後述する各検知装置）から電力を得るとともに、このアンテナ１Ｇを介して内部の各番地に記憶しているデータを無線で送信し、また外部からの新たなデータを受信して、必要に応じて所定の番地に格納するよう構成されている。
【００２９】
そして、前記手袋Ｇには、左手袋Ｇ１と右手袋Ｇ２（図５参照）とを一体に連結する連結手段が設けられている。この実施形態では、該連結手段として、図５に図示するような、手袋Ｇのリスト部分を締めたり緩めたりするためのベルトＧａとこのベルトＧａが係着される手袋本体側の部分Ｇｂに、図示しない一対の係着機構（所謂「ワンタッチ・ファスナー」）を配置することによって形成している。従って、前記係着機構は、前記連結手段としての機能の他に、通常の手袋の使用状態において、リスト部分を締めつけあるいは緩めるために使用することもできる。
ところで、前記連結手段としては、左右一対の左手袋Ｇ１と右手袋Ｇ２（図示せず）とを一体に連結できるものであればよく、例えば、左右の手袋Ｇのうちの一方の手袋内に他方の手袋を挿入できるように構成したものであってもよい。又は、前記連結手段が、左右の手袋Ｇを連結するフック等であってもよい。さらには、前記連結手段が、そのままの状態で洗濯処理が可能で収容物が視認できるメッシュの回収袋（例えば、家庭の洗濯において下着等を入れて洗濯するメッシュの袋と同じような構成のもの；図示せず）であってよく、かかるメッシュの回収袋は回収に際して予め準備しておいて、回収の際に使用後の左右の手袋Ｇをその回収袋に入れて回収し、洗濯処理し、再出荷するようにしてもよい。
そして、前記左手袋Ｇ１と右手袋Ｇ２には、この左右１双の手袋からなる該手袋Ｇ特有の且つ共通の符号が付される。例えば、この符号として、番号、アルファベット等であってもよいことは勿論であるが、例えば、同じ色（例えば、赤色）が同じ位置（この実施形態では、左手袋Ｇ１および右手袋Ｇ２のベルトＧａ部分）に配置されたものであってもよい。そして、前記符号は、各手袋（左右一対の手袋）Ｇ毎に異なるものが使用される。
【００３０】
そして、前述のような構成を具備した手袋Ｇは、以下のようにリユースされ、その際に、以下のような作用効果を奏する。以下、この発明の実施形態にかかる手袋のリユースシステムの内容について説明する。つまり、
この実施形態にかかる手袋のリユースシステムでは、手袋Ｇをユーザーが当初買い取って、使用により汚れたり損傷したりすると洗濯や修理をおこない、再使用する形態のものである。図１に図示するような、本リユースシステムを実行する設備が、リユース事業を実施する、手袋メーカあるいは手袋のリユース企業に設けられる。前記設備の構成の概要を示す図１において、１０はＩＣタグ１の読み取りおよび書き込み機能を具備した第１の検知装置（第１の検知手段）で、この第１の検知装置１０は、ユーザーに前記構成からなる新しい手袋Ｇが所定双数出荷されるときに、該第１の検知装置１０の所定距離内を通過し、そのときに、各手袋Ｇに設けられたＩＣタグ１のそれぞれの格納番地（ロット番号番地、出荷日番地、ユーザー特定番地、商品コード番地等）へ、出荷に関するデータ（例えば、出荷のロット番号、出荷日、ユーザーコード（個人および該個人が属する組織を表すコード；例えば、上６桁が組織を表すコードで下６桁が個人を表すコード）、商品コード）を書き込むとともに、該第１の検知装置１０は手袋の出荷双数をカウントする。これらの処理に際してデータのやり取りは、前述のように無線（非接触）でおこなわれる。そして、この処理に作業者を特段必要としない。
そして、前記出荷双数に関するデータは、前記第１の検知装置１０から通信手段（通信線、あるいは無線）を介して、コンピュータ（例えば汎用コンピュータ）によって構成される制御装置１２に送られ、ここでユーザー名（ユーザーコード）と出荷双数とその日時を特定して、この制御装置１２に設けられた記憶装置に記憶される。そして、これらのデータは、所定期間毎あるいはオーダ毎に発行される請求書を発行するときに、その内容が請求書の明細書等に記載されることになる。
【００３１】
そして、前記出荷した手袋Ｇは所定期間ユーザーにおいて使用され、その結果、汚れた（例えば油等で汚れた）状態になったり、且つ、損傷（例えば、裂傷や磨滅穴）が生じた状態になると、処理工場に送り返されてくる。この返還の際に、図５に図示するように、左手袋Ｇ１のベルトＧａが、右手袋Ｇ２の手袋本体側の部分Ｇｂに係着され、且つ、右手袋Ｇ２のベルトＧａが、左手袋Ｇ１の手袋本体側の部分Ｇｂに係着され、左右の手袋が強固に一体に連結された状態となっている。
このように処理工場に返還された手袋Ｇは、図１に示す、ＩＣタグ１の読み取りおよび書き込み機能を具備した第２の検知装置（第２の検知装置）１４の所定距離内を通過することによって、該第２の検知装置１４で、ユーザーコードおよび商品コードに関するデータ等から特定の手袋Ｇが返還されたことが読み取られ、その返還日時とともに、それらのデータが前記通信手段を介して、前記第２の検知装置１４から制御装置１２へ送られる。そして、それらのデータは、制御装置１２に付設された表示装置１２Ａおよび印字装置１２Ｂによって確認することができる。この作業にも特段作業者を必要としない。
そして、前記第２の検知装置１４は、ＩＣタグ１の返還日番地に返還された日時に関するデータを書き込む。ところで、前述のように第２の検知装置１４の所定距離内を手袋Ｇが通過するときに、手袋Ｇが左右一対の状態でない場合には、該左右一対でない手袋Ｇはその場で作業者によって、一時的に取り除かれるとともに、作業者によって、前記その手袋Ｇ特有の符号（前記例えでは、ベルト部分に赤色が付されている）によって、同じ符号のものを組み合わせることが可能となる。このように、作業者は、これら左右一対でない手袋を前記符号に基づいて左右一対になるよう連結する。そして、これら左右一対に連結した手袋Ｇを、再び、前記第２の検知装置１４の所定距離内を通過させる。つまり、左右一対でない手袋Ｇ１あるいはＧ２の場合には、作業者による補助的な作業が加えられる。しかし、その他の処理は、作業者を必要とすることなく実施される。
【００３２】
図１に図示するように、前記ＩＣタグ１と第２の検知装置１４との間で前記データのやり取りがおこなわれた手袋Ｇは、前記読み取られた商品コードに関するデータから、その商品のために用意されている洗濯処理が、工場内の洗濯ステーション１６（図１参照）で実行される。即ち、例えば、素材的に、繊維のみからなる手袋の場合と、皮革のみからなる手袋の場合と、合成皮革のみからなる手袋の場合等のように、素材が異なる場合に、該素材に合わせて、それに見合った洗濯処理がおこなわれる。なお、この洗濯処理中も前記左右一対の手袋Ｇ１，Ｇ２は連結された状態となっている。そして、前記洗濯処理が完了すると、この洗濯ステーション１６において、ここに設置された読み取り機能を備えた書き込み装置により、各手袋Ｇの前記ＩＣタグ１の洗濯処理番地に、洗濯されたことを示すコードが付される。
【００３３】
次に、前記洗濯処理が完了した手袋Ｇは、作業者の目視により、手袋に損傷があるか否かがチェックされて選り分けられ、損傷箇所の無い手袋ＧはＩＣタグ１の読み取りおよび書き込み機能を具備した第３の検知装置（第３の検知手段）２２へ送られ、一方、損傷がある手袋Ｇは、修理ステーション１８へ送られてここで修理される。そして、修理が完了した手袋Ｇは、該修理ステーション１８において、ここに設置された読み取り機能を備えた書き込み装置により、前記ＩＣタグ１の修理内容番地に、修理内容を表すコードが付される。このコードは、例えば修理に要した工数と材料費とを加算した合計額を示すコードであってよい。また、前記作業者による「選り分け」作業により、修理不能な手袋Ｇについては、その「選選り分け」作業で選別されて、廃棄ステーション２０に送られて、この廃棄ステーション２０で、ここに設置された読み取り装置により、その手袋Ｇのユーザーコードが読み取られて、その手袋Ｇが廃棄処理された事実が、データとしてこの読み取り装置から通信線を介して前記制御装置１２に送られる。また、廃棄処理する際には、手袋Ｇの収納袋からＩＣタグが取り出されて、このＩＣタグは初期化されて再利用される。あるいは初期化されることなく、後述する補充される新しい手袋のＩＣタグとして利用してもよい。なお、前述の廃棄処理の対象とされた手袋は、その後、焼却設備によって焼却処理される。
【００３４】
そして、前記洗濯処理と修理処理が完了した手袋Ｇは、前記第３の検知装置２２の所定距離内を通過し、該通過することによって、第３の検知装置２２によって、その手袋ＧのＩＣタグから各種データが読み取られ、該読み取られたデータは、前記通信手段を介して、前記第３の検知装置２２から前記制御装置１２に送られる。そして、それらの手袋Ｇはユーザーに返送（再出荷）されるが、この返送に際して、該手袋Ｇに付されたＩＣタグのユーザーコードに基づいて、各手袋Ｇにユーザー名を記載したタグを付着して返送すれば、特定のユーザー（例えば、特定の組織の、且つ特定の個人）等に確実に返送することができる。この場合、同一のユーザーに対しては、作業者が又は自動仕分け装置等を使用して、箱詰めして複数の手袋を返送するようにしてもよい。
一方、前記第３の検知装置２２は、手袋Ｇに付設されたＩＣタグ１に、リユース回数を示すコードに関して、１回リユースがなされたことを示すコードを書き加える。
【００３５】
また、前記制御装置１２は、前記第２の検知装置１４によって検知された返還された手袋の双数から前記第３の検知装置２２によって検知された返送された手袋の双数を減算して値（手袋の双数）を、廃棄された手袋の双数として把握する。そして、この制御装置１２は、前記廃棄された手袋の双数と同じ双数の新しい手袋Ｇをそのユーザーに補充すべき旨、表示等する。この表示に従って、作業者は、前記リユースされた手袋Ｇを再出荷（返送）する際に、この新しい手袋Ｇを同梱するように構成するのが合理的なシステムとなる。前記同梱する前に、作業者は、前記収納袋２に前述のＩＣタグ１が収納されたこの新しい手袋Ｇを前記第１の検知装置１０を通過させる。この通過により、このＩＣタグ１のそれぞれの格納番地に、前述のように、前記第１の検知装置１０は、出荷に関するデータを書き込むとともに、該第１の検知装置１０は手袋Ｇの出荷双数をカウントする。
そして、この第１の検知装置１０は、この補充にかかる手袋Ｇの出荷双数を、前記通信線を介して、制御装置１２に送られる。
【００３６】
また、前記制御装置１２は、前記第３の検知装置２２でＩＣタグから読み取ったその手袋Ｇを特定するユーザーコードとその洗濯処理されたこと及び修理された場合にはその修理内容について、また、前述の補充された手袋Ｇの双数について、これらに関して発生する費用（小計：リユース費小計、補充費小計）を算出し、オーダ毎に、あるいは所定期間毎に、例えば１週間毎（あるいは１カ月毎）に、その会社へ再出荷された全ての手袋の前記小計を集計（積算）して、請求書を発行する。この請求書に、必要であれば、洗濯処理や修理処理の明細を記載する。また、前記請求書には、前記廃棄した手袋Ｇについて、そのユーザーコード等を特定して廃棄した旨の情報を記載してもよい。また、廃棄処理にかかる経費やその廃棄にかかる手袋の在存原価（在存簿価）を、前記請求書の請求項目として記載、必要な経費を請求してもよい。前記在存原価は、ユーザーにおいて経理の処理に利用される。
【００３７】
そして、前記請求書は従前のとおり、前記印字装置１２Ｂでプリントアウトしたものを郵送することも可能であるが、図１に図示するように、オンラインでユーザー（個人ユーザーでなくその個人が属する組織）宛に請求してもよい。
【００３８】
ところで、前記実施形態は、手袋Ｇが専ら買い取り形式のリユースシステムについて説明したが、手袋Ｇがレンタル形式である場合には、可能リユース回数をそのユーザー毎（会社あるいは事業所毎）に予め定めておき、出荷時およびその後の再出荷毎に、所定のリース料を前記洗濯処理や修理処理に要した費用に加えて集計した、請求書を作成し、請求するようにすればよい。また、修理不可能な理由で廃棄処分された手袋については、その手袋Ｇに在存原価（在存簿価）がある場合（前記可能リユース回数未満のもの）には、その在存原価（在存簿価）を前記各小計を集計した請求額に加えて、請求すればよい。
【００３９】
そして、このように構成された本実施形態にかかる手袋のリユースシステムによれば、ＩＣタグに記憶されたユーザーコード等からユーザーである特定の組織、あるいは必要であれば該特定の組織の特定の個人（例えば、日本株式会社の大和事業所の田中太郎さん）が常に前回使用した手袋を繰り返し使用することができることから、誰もが生理的な違和感なく再使用することができる。
【００４０】
従って、このように手袋を繰り返し何度も使用することができるため、手袋の用途に対して最適ではあるが価格的に高価であるがために従来使用することができなかった材質（例えば、耐熱且つ衝撃吸収性能を備えた素材）をも、手袋の材料として用いることができる。従って、手袋を使用する者にとって、より最適な性能を具備した手袋を得ることができる。また、手袋を、洗濯し且つ修理して、使用可能な極限まで使用することができることから、環境にも優しいものとなる。また、廃棄する手袋についても、焼却処理しようとする手袋の素材に応じた専用の焼却設備等を使用して供給者側で処理することができるため、有害な物資を外部に排出することなく、廃棄処分することが可能となる。また、再利用可能なＩＣタグ等は廃棄処理に際して手袋Ｇの収納袋から取り出されて、再利用されることになる。
【００４１】
ところで、前記実施形態では、第１の検知装置と第３の検知装置を物理的に別の装置としてそれぞれ設けているが、これに代えて、出荷場に設けられた１の検知装置を切替ボタン等の切替によって、新規の手袋を出荷するときには前記第１の検知装置と用い、洗濯等の処理を施して再出荷するときには第３の検知装置としても使用できるような構成にしてもよい。さらに、１の検知装置を、切替ボタン等の切替によって、第１〜第３の検知装置として、使い分けるような構成であってもよい。かかる場合には、１つの装置を兼用することによってこのリユースシステムを安価に構築することが可能となる。
【産業上の利用可能性】
【００４２】
本発明にかかる手袋のリユースシステム及び手袋は、作業用手袋は勿論のこと各種手袋のリユース等に使用することができる。
【図面の簡単な説明】
【００４３】
【図１】本発明の１つの実施例にかかる手袋のリユースシステムの概略の外観構成を概念的に示すブロック図である。
【図２】図１に示すリユースシステムの対象となる手袋の構成を概念的に示した図である。
【図３】図２の手袋に付着されるＩＣタグの構成を概念的に示した図である。
【図４】左手袋に形成された連結手段の構成を概念的に示した図である。
【図５】左手袋と右手袋とを連結手段によって一体に連結するための構成を概念的に示した斜視図である。
【符号の説明】
【００４４】
Ｇ          手袋
１          ＩＣタグ（識別手段）
１０        第１の検知装置（第１の検知手段）
１２        制御装置（コンピュータ）
１４        第２の検知装置（第２の検知手段）
２２        第３の検知装置（第３の検知手段）
【図１】
2008015825.tif 000003
【図２】
2008015825.tif 000004
【図３】
2008015825.tif 000005
【図４】
2008015825.tif 000006
【図５】
2008015825.tif 000007